(57)【要約】【課題】回転制限端部で衝突音の発生しない光学部品及びレンズ鏡筒を提供する。【解決手段】駆動力を伝達する駆動力伝達部（２２４）と、レンズ群の少なくとも一部を光軸方向に移動させる筒状部（３１）と、前記筒状部の外周又は内周に凸状に形成されたカム部（３２）と、前記駆動力伝達部に係合し、前記筒状部を光軸方向に移動させる第１カム溝（３３）と、前記第１カム溝に光軸方向端部で連結され、光軸方向に垂直な平面上で周方向に沿って形成された第２カム溝（３４）と、前記筒状部を光軸方向に付勢する付勢部（３５，３６）とを備える。【選択図】図３
2013200344.tif 000002
【特許請求の範囲】
【請求項１】
駆動力を伝達する駆動力伝達部と、
レンズ群の少なくとも一部を光軸方向に移動させる筒状部と、
前記筒状部の外周又は内周に凸状に形成されたカム部と、
前記駆動力伝達部に係合し、前記筒状部を光軸方向に移動させる第１カム溝と、
前記第１カム溝に光軸方向端部で連結され、光軸方向に垂直な平面上で周方向に沿って形成された第２カム溝と、
前記筒状部を光軸方向に付勢する付勢部と、
を備える光学部品。
【請求項２】
請求項１に記載の光学部品において、
前記第２カム溝は、前記第１カム溝よりも摩擦係数が小さいこと、
を特徴とする光学部品。
【請求項３】
請求項１又は請求項２に記載の光学部品において、
前記第２カム溝は、前記第１カム溝の光軸方向の両端側に形成されていること、
を特徴とする光学部品。
【請求項４】
請求項１から請求項３までのいずれか１項に記載の光学部品において、
前記駆動力伝達部を駆動力する回転駆動型アクチュエータを備えること、
を特徴とする光学部品。
【請求項５】
請求項１から請求項４までのいずれか１項に記載の光学部品を含むレンズ鏡筒。
【請求項６】
請求項５に記載のレンズ鏡筒において、
前記筒状部の回転を検出する検出部を備えること、
を特徴とするレンズ鏡筒。
【発明の詳細な説明】
【技術分野】
【０００１】
本発明は、光学部品及びレンズ鏡筒に関するものである。
【背景技術】
【０００２】
デジタルスチルカメラは、動画を撮影、録音する機能が設けられているが、撮影中に、レンズ鏡筒のフォーカスリング、ズームリング等は、常に操作されるために、操作時、特に回転制限端部に移動したときに、衝突音を発生する。
特許文献１は、操作部材の位置を検出し、操作部材が回転制限端部付近にあるときのみに、音声を補正するカメラを開示している。
【先行技術文献】
【特許文献】
【０００３】
【特許文献１】特開２００９−３０２８３４号公報
【発明の概要】
【発明が解決しようとする課題】
【０００４】
本発明の課題は、回転制限端部で衝突音の発生しない光学部品及びレンズ鏡筒を提供することである。
【課題を解決するための手段】
【０００５】
前記課題を解決するために、請求項１の発明は、駆動力を伝達する駆動力伝達部（２２４）と、レンズ群の少なくとも一部を光軸方向に移動させる筒状部（３１）と、前記筒状部の外周又は内周に凸状に形成されたカム部（３２）と、前記駆動力伝達部に係合し、前記筒状部を光軸方向に移動させる第１カム溝（３３）と、前記第１カム溝に光軸方向端部で連結され、光軸方向に垂直な平面上で周方向に沿って形成された第２カム溝（３４）と、前記筒状部を光軸方向に付勢する付勢部（３５，３６）と、を備える光学部品である。
請求項２の発明は、請求項１に記載の光学部品において、前記第２カム溝（３４）は、前記第１カム溝（３３）よりも摩擦係数が小さいこと、を特徴とする光学部品である。
請求項３の発明は、請求項１又は請求項２に記載の光学部品において、前記第２カム溝（３４）は、前記第１カム溝（３３）の光軸方向の両端側に形成されていること、を特徴とする光学部品である。
請求項４の発明は、請求項１から請求項３までのいずれか１項に記載の光学部品において、前記駆動力伝達部（２２４）を駆動力する回転駆動型アクチュエータ（２２）を備えること、を特徴とする光学部品である。
請求項５の発明は、請求項１から請求項４までのいずれか１項に記載の光学部品を含むレンズ鏡筒である。
請求項６の発明は、請求項５に記載のレンズ鏡筒において、前記筒状部の回転を検出する検出部（１９）を備えること、を特徴とするレンズ鏡筒である。
以上、理解を容易にするために、本発明の実施形態に対応する符号を付して説明したが、これに限定されるものではない。なお、符号を付して説明した構成は、適宜改良してもよく、また、少なくとも一部を他の構成に代替してもよい。
【発明の効果】
【０００６】
本発明によれば、回転制限端部で衝突音が発生しない、という効果がある。
【図面の簡単な説明】
【０００７】
【図１】本発明による光学部品を備えたカメラの実施形態を示すブロック図である。
【図２】本実施形態に係るカメラの鏡筒内のフォーカスリングを示す斜視図である。
【図３】本実施形態に係るカメラの鏡筒内のフォーカスリングを示す側面図である。
【図４】本実施形態に係るカメラのフォーカスリングの駆動の様子を示す概念図である。
【図５】本実施形態に係るカメラのメカ端付近におけるウォブリング駆動を示す概念図である。
【発明を実施するための形態】
【０００８】
（実施形態）
以下、図面等を参照して、本発明の実施の形態について、さらに詳しく説明する。
図１は、本発明による光学部品を備えたカメラの実施形態を示すブロック図である。
この実施形態のカメラは、カメラ本体１０とレンズ鏡筒２０とを備えている。
カメラ本体１０は、撮像素子１１と、画像処理部１２と、バッファメモリ１３と、音声検出部１４と、記録インターフェイス（ＩＦ）１５と、カメラ操作部１６と、メモリ１７と、ＣＰＵ１８などとから構成される。
【０００９】
撮像素子１１は、ＣＭＯＳイメージセンサなどによって構成される。この撮像素子１１は、撮像光学系２１を通過した光束による被写体像を、光電変換してアナログ画像信号を生成する。このアナログ画像信号は、信号増幅とＡ／Ｄ変換が行なわれ、画像処理部１２に入力される。
【００１０】
画像処理部１２は、デジタル画像データに対して、各種の画像処理を行う。
バッファメモリ１３は、画像処理部１２による画像処理の前工程や後工程での画像データを一時的に記録する。
【００１１】
音声検出部１４は、マイクと信号増幅部とから構成され、主に、動画撮影時に被写体方向からの音声を検出して取り込み、そのデータをＣＰＵ１８へ伝達する。音声検出部１４は、電子カメラの内蔵マイクの場合と、外部マイクを電子カメラの接点に取り付ける場合とがあり、外部マイクを取り付けた場合には、それが検知されるようになっている。
【００１２】
記録インターフェイス（Ｉ／Ｆ）１５は、不図示のコネクタを有し、そのコネクタに記録媒体としてメモリカード４０が接続され、接続されたメモリカード４０に対して、データの書き込みや、メモリカード４０からのデータの読み込みを行う。
【００１３】
カメラ操作部１６は、モードダイヤル、十字キー、決定ボタンやレリーズボタンなどを示し、各操作に応じた操作信号をＣＰＵ１８へ送出する。静止画撮影や動画撮影の設定は、この操作部１６により行われる。
メモリ１７は、画像処理した一連の画像データを記録する。
【００１４】
レンズ鏡筒２０は、撮像光学系２１と、アクチュエータ２２などとを備える。
撮像光学系２１は、複数の光学レンズにより構成され、被写体像を撮像素子１１の受光面に結像させる。図１では、光学レンズ系を簡略化して、単レンズとして図示している。
アクチュエータ２２は、回転駆動型の超音波モータ等が使用され、光学レンズ群の内、フォーカス用，ズーム用の光学レンズを駆動する。
【００１５】
図２は、本実施形態に係るカメラの鏡筒内のフォーカスリングを示す斜視図である。
図３は、本実施形態に係るカメラの鏡筒内のフォーカスリングを示す側面図である。
図４は、本実施形態に係るカメラのフォーカスリングの駆動の様子を示す概念図である。
【００１６】
フォーカスリング３０は、図２に示すように、レンズ群の少なくとも一部（ここでは、フォーカスレンズ）を保持して、光軸方向に移動させる筒状部３１と、筒状部３１の外周に形成さられた凸状のカム部３２と、カム部３２に設けられ、このフォーカスリング３０を回転させるための駆動溝部３３と、駆動溝部３３に光軸方向端部で連結され、光軸方向に垂直な平面上で周方向に沿って、カム部３２の両端に円周状に設けられ、このフォーカスリング３０を空転させるための移動制限溝部３４とから構成される。
【００１７】
回転駆動型アクチュエータ２２は、図３に示すように、固定子２２１と、回転子２２２と、ホルダ２２３と、ピンやコロなどからなる駆動力伝達部２２４とを含み、フォーカスリング３０の外周に配置されている円環状の進行波型超音波モータが使用できる。
駆動力伝達部２２４は、フォーカスリング３０の駆動溝部３３と嵌め合わされ、この回転駆動型アクチュエータ２２を回転駆動することにより、フォーカスリング３０に収容されているフォーカスレンズが光軸方向に移動する。
【００１８】
付勢部３５，３６は、フォーカスリング３０を光軸方向両側から中央へ付勢して、回転子２２２の駆動力伝達部２２４が移動制限溝部３４に移動した後に、再度、駆動溝部３３に復帰できるようにするためのものであり、ばねやウエーブワッシャなどを用いることができる。
【００１９】
なお、移動制限溝部３４は、駆動溝部３３よりも摩擦係数を小さくしておくことが好ましい。これは、移動制限溝部３４は、駆動力伝達部２２４が回転してもフォーカスリング３０が摩擦により回転をすることなく、駆動力伝達部２２４が滑るようにするためであり、潤滑性の塗料（例えば、ポリテトラフルオロエチレンなど）を塗布してするようにすればよい。
また、駆動力伝達部２２４が移動制限溝部３４から駆動溝部３３に戻るときにも、駆動溝部３３の摩擦係数が大きいほうが駆動溝部３３に入りやすい。
【００２０】
本実施形態によれば、回転駆動型アクチュエータ２２が駆動され、図４に示すように、駆動力伝達部２２４が駆動溝部３３に沿って矢印Ａ方向に回転すると、フォーカスリング３０は、回転制限されているので、光軸Ｂ方向に移動して、フォーカシング動作を行う（図４（ａ）〜（ｃ））。
いま、駆動力伝達部２２４は、カム部３２の端部にくると、移動制限溝部３４に沿って光軸周りに空転する（図４（ｄ）、（ｅ））。この移動制限溝部３４は、フォーカスレンズの光軸方向への移動が制限される位置と対応する位置に設けられているので、フォーカスリング３０は、駆動力伝達部２２４が回転しても、フォーカスレンズ位置が変わらないので、メカ端が無くなり、衝突時の異音を回避することが可能となる。
回転駆動型アクチュエータ２２が超音波モータの場合には、マニュアルフォーカス時のすべり音も回避することができる。
なお、Ｃ１，Ｃ２は付勢部３５，３６によるフォーカスリング３０の付勢方向である。
【００２１】
また、本発明を用いれば、以下に示す、動画撮影時のウォブリング駆動についても複雑な制御なしで対応が可能である。
図５は、本実施形態に係るカメラのメカ端付近におけるウォブリング駆動を示す概念図である。
ウォブリング駆動とは、カメラ撮影者がピントのずれを認識できない程度の微小な移動量でフォーカスレンズを駆動する方式である。このときの微小な移動は、前進（ｔ１〜ｔ２）、停止（ｔ２〜ｔ３）、後退（ｔ３〜ｔ４）、停止（ｔ４〜ｔ５）、前進（ｔ５〜ｔ６）、・・・というように行われる。撮像素子１１は、このウォブリングによる微小なピントずれをコントラストの変化として検出し、ピント状態を検出している。ピントが合っていない場合は検出結果に基づいて、フォーカスレンズをピントが合う方向に駆動させる動作を行う。
【００２２】
従来の方式では、フォーカスリング３０が後退（ｔ９〜ｔ１０ａ）、停止（ｔ１０ａ〜ｔ１１ａ）、前進（ｔ１１ａ〜ｔ１２）するとき、制限位置Ｄを越えてしまうので、メカ端付近で通常の制御を行った場合に、メカ端に衝突し衝突音が発生する可能性があり、また、メカ制限付近で衝突音を防ぐためには、回転駆動型アクチュエータ２２の駆動制御を複雑化する必要があった。
これに対して、本実施形態では、フォーカスリング３０の位置によらず、常に同様の駆動制御を行うことが可能となり、制限位置Ｄにおいても、後退（ｔ９〜ｔ１０）、停止（ｔ１０〜ｔ１１）、前進（ｔ１１〜ｔ１２）するので、制御の複雑化を抑制したまま、衝突音を回避することが可能である。
【００２３】
（変形形態）
以上説明した実施形態に限定されることなく、種々の変形や変更が可能であって、それらも本発明の技術的範囲内である。
（１）  本実施形態では、被駆動部材がフォーカスリングである例で説明したが、フォーカスリングに限らず、例えば、ズームリング等も含まれる。
【００２４】
（２）  フォーカスリングの回転を検出する回転検出部１９（図１参照）を用いて、フォーカスリング３０の回転が停止した場合に、回転駆動型アクチュエータ２２の回転を止めることで、制限の代わりとして使用し、電池の消耗を防ぐようにすることができる。
【００２５】
（３）  駆動溝を、筒状部の外周側としているが、内周側に配置することも可能である。また、全周上に移動制限溝を設けているが、例えば１／２周分とすることも可能である。さらに、駆動溝を１本しか図示していないが、複数本備えていてもよい。
【符号の説明】
【００２６】
１０；カメラ本体、１１；撮像素子、１２；画像処理部、１３；バッファメモリ、１４；音声検出部、１５；記録インターフェイス（ＩＦ）、１６；カメラ操作部、１７；メモリ、１８；ＣＰＵ、１９；回転検出部、２０；レンズ鏡筒、２１；撮像光学系、２２；回転駆動型アクチュエータ、３０；フォーカスリング、３１；筒状部、３２；カム部、３３；駆動溝部、３４；移動制限溝部、３５，３６；付勢部
【図１】
2013200344.tif 000003
【図２】
2013200344.tif 000004
【図３】
2013200344.tif 000005
【図４】
2013200344.tif 000006
【図５】
2013200344.tif 000007